(57)【要約】【課題】  中古車等の不正表示販売を防止し、信頼性の高い正規流通販売を行うための証明書発行システム及び方法を提供する。【解決手段】  出品車情報を入力するための業務システム１と、オークション落札情報を入力するせり機システム２と、出品車情報及びオークション落札情報を受信し記憶する業務サーバ３と、業務サーバ３から出品車情報とオークション落札情報とに対応する識別情報とユーザーに公開する出品車公開データとを受信及び記憶するデータベースサーバ５と、出品車公開データ及び出品車公開データに対応する二次元バーコード９が表示された流通証明書８を出力する業務サーバ３のパソコン端末７と、データベースサーバ５と送受信を行うインターネット公開サーバ１１とを備える。【選択図】  図１
2006277207.tif 000002
【特許請求の範囲】
【請求項１】
情報を記憶する業務サーバと、
前記情報に対応する識別情報を記憶するデータベースサーバと、
前記識別情報に対応する識別コードが表示された証明書を出力する前記業務サーバの端末装置と、
前記データベースサーバと送受信を行うインターネット公開サーバとを備え、
前記識別コードを認識する入力手段と、前記インターネット公開サーバとの送受信を行う手段と、ユーザーに伝達する伝達手段とを含む携帯端末は、前記入力手段で認識した前記識別コードに基づいて前記インターネット公開サーバに送信し、
前記インターネット公開サーバは前記識別コードに基づいて前記データベースサーバに送信し、
前記データベースサーバは、前記業務サーバからユーザーに公開する公開データを受信及び記憶し、前記識別コードに基づいて前記識別情報に対応する前記公開データを前記インターネット公開サーバに送信し、
前記インターネット公開サーバは前記識別情報に対応する前記公開データを前記携帯端末に送信し、
前記携帯端末は前記識別情報に対応する前記公開データを前記伝達手段によりユーザーに伝達する
ことを特徴とする証明書発行システム。
【請求項２】
出品車情報を入力するための業務システムと、
オークション落札情報を入力するせり機システムと、
前記業務システムから前記出品車情報及び前記せり機システムから前記オークション落札情報を受信及び記憶する業務サーバと、
前記業務サーバから、前記出品車情報と前記オークション落札情報とに対応する識別情報を受信及び記憶するデータベースサーバと、
前記識別情報に対応する識別コードが表示された流通証明書を出力する前記業務サーバの端末装置と、
前記データベースサーバと送受信を行うインターネット公開サーバとを備え、
前記識別コードを認識する入力手段と、前記インターネット公開サーバとの送受信を行う手段と、ユーザーに伝達する伝達手段とを含む携帯端末は、前記入力手段で認識した前記識別コードに基づいて前記インターネット公開サーバに送信し、
前記インターネット公開サーバは前記識別コードに基づいて前記データベースサーバに送信し、
前記データベースサーバは前記識別コードと前記識別情報とを照合し、照合結果を前記インターネット公開サーバに送信し、
前記インターネット公開サーバは前記照合結果を前記携帯端末に送信し、
前記携帯端末は前記照合結果を前記伝達手段によりユーザーに伝達する
ことを特徴とする証明書発行システム。
【請求項３】
さらに、前記データベースサーバは、前記業務サーバからユーザーに公開する出品車公開データを受信及び記憶し、前記識別コードに基づいて前記識別情報に対応する前記出品車公開データを前記インターネット公開サーバに送信し、
前記流通証明書には前記出品車公開データが表示され、
前記インターネット公開サーバは前記識別情報に対応する前記出品車公開データを前記携帯端末に送信し、
前記携帯端末は前記識別情報に対応する前記出品車公開データを前記伝達手段によりユーザーに伝達する
ことを特徴とする請求項２記載の証明書発行システム。
【請求項４】
前記出品車情報は中古車オークションの回数、出品番号、車名、型式、車台番号、走行距離、修復歴、評価点及び出品店のうちの少なくともいずれか１つを含む
ことを特徴とする請求項２又は３記載の証明書発行システム。
【請求項５】
前記オークション落札情報は取引年月日、落札金額及び落札店のうちの少なくともいずれか１つを含む
ことを特徴とする請求項２〜４のいずれか１項に記載の証明書発行システム。
【請求項６】
前記出品車公開データは取引年月日、落札店、車名、型式、車台番号、走行距離、修復歴、評価点及び出品店のうちの少なくともいずれか１つを含む
ことを特徴とする請求項３〜５のいずれか１項に記載の証明書発行システム。
【請求項７】
前記識別コードは二次元バーコードである
ことを特徴とする請求項２〜６のいずれか１項に記載の証明書発行システム。
【請求項８】
前記携帯端末はカメラ付携帯電話である
ことを特徴とする請求項２〜７のいずれか１項に記載の証明書発行システム。
【請求項９】
情報を記憶する業務サーバと、
前記情報に対応する識別情報を記憶するデータベースサーバと、
前記識別情報に対応する識別コードが表示された証明書を出力する前記業務サーバの端末装置と、
前記データベースサーバと送受信を行うインターネット公開サーバとを備える証明書発行システムにおいて、
前記識別コードを認識する入力手段と、前記インターネット公開サーバとの送受信を行う手段と、ユーザーに伝達する伝達手段とを含む携帯端末が、前記入力手段で認識した前記識別コードに基づいて前記インターネット公開サーバに送信するステップと、
前記インターネット公開サーバが前記識別コードに基づいて前記データベースサーバに送信するステップと、
前記データベースサーバが、前記業務サーバからユーザーに公開する公開データを受信及び記憶し、前記識別コードに基づいて前記識別情報に対応する前記公開データを前記インターネット公開サーバに送信するステップと、
前記インターネット公開サーバが前記識別情報に対応する前記公開データを前記携帯端末に送信するステップと、
前記携帯端末が前記識別情報に対応する前記公開データを前記伝達手段によりユーザーに伝達するステップとを含む
ことを特徴とする証明書発行方法。
【請求項１０】
出品車情報を入力するための業務システムと、
オークション落札情報を入力するせり機システムと、
前記業務システムから前記出品車情報及び前記せり機システムから前記オークション落札情報を受信及び記憶する業務サーバと、
前記業務サーバから、前記出品車情報と前記オークション落札情報とに対応する識別情報を受信及び記憶するデータベースサーバと、
前記識別情報に対応する識別コードが表示された流通証明書を出力する前記業務サーバの端末装置と、
前記データベースサーバと送受信を行うインターネット公開サーバとを備える証明書発行システムにおいて、
前記識別コードを認識する入力手段と、前記インターネット公開サーバとの送受信を行う手段と、ユーザーに伝達する伝達手段とを含む携帯端末が、前記入力手段で認識した前記識別コードに基づいて前記インターネット公開サーバに送信するステップと、
前記インターネット公開サーバが前記識別コードに基づいて前記データベースサーバに送信するステップと、
前記データベースサーバが前記識別コードと前記識別情報とを照合し、前記照合結果を前記インターネット公開サーバに送信するステップと、
前記インターネット公開サーバが前記照合結果を前記携帯端末に送信するステップと、
前記携帯端末が前記照合結果を前記伝達手段によりユーザーに伝達するステップとを含む
ことを特徴とする証明書発行方法。
【請求項１１】
さらに、前記データベースサーバが、前記業務サーバからユーザーに公開する出品車公開データを受信及び記憶し、前記識別コードに基づいて前記識別情報に対応する前記出品車公開データを前記インターネット公開サーバに送信するステップと、
前記端末装置が、前記出品車公開データが表示された前記流通証明書を出力するステップと、
前記インターネット公開サーバが、前記識別情報に対応する前記出品車公開データを前記携帯端末に送信するステップと、
前記携帯端末が、前記識別情報に対応する前記出品車公開データを前記伝達手段によりユーザーに伝達するステップとを含む
ことを特徴とする請求項１０記載の証明書発行方法。
【発明の詳細な説明】
【技術分野】
【０００１】
本発明は、特に中古車の不正販売を防止するための証明書発行システムに関する。
【背景技術】
【０００２】
一般的に、現在の中古車販売においては、ディーラーや中古車販売専業者がオークションでせり落とした後、中古車センターや各販売店等において各中古車に価格、車名、型式、車台番号、走行距離、修復歴、評価点等を表示したプライスボードを付けてユーザーに展示販売する方法をとっている。
【０００３】
また、インターネットを介して行われる中古車の売買の安全性を高める中古車の売買システムの提供の一形態としては、中古車の車両情報が掲載されるホームページを作成・管理する仲介業者側端末と、売り主がホームページに車両情報を入力する売り主側端末と、買い主が車両情報にアクセスする買い主側端末とで構成され、買い主が得た車両情報に基づいて中古車購入の意思表示を受けた仲介業者は、売り主と買い主との間で売買交渉が仮成立した後に少なくとも該当実車を売り主から預かり、売り主と買い主との間の売買交渉が正式に成立したことを条件に、買い主から受け取った車両購入代金の売り主への引き渡しと、売り主から受け取って必要な諸手続きを代行処理した後の関係書類と該当実車との買い主への引き渡しとを行っている（例えば、特許文献１参照。）。
【特許文献１】特開２００３−５８７３８号公報
【発明の開示】
【発明が解決しようとする課題】
【０００４】
しかし、上記のような中古車販売においては、各販売店等でプライスボードの表示内容の偽造や改ざん等による不正表示販売が行われ易いという問題がある。例えば、中古車の走行距離が実際は１０万ｋｍであるのにもかかわらず３万ｋｍという表示を行ったり、修復歴があるのにもかかわらず修復歴が無いと表示したりして、あたかも良質車を低価格で販売しているような形態をとることが一部の販売店等で行われている。それにより、不正表示販売が行われた中古車をユーザーが騙されて購入したり、一般のユーザーに対しても不信感を抱かせ、ユーザーが中古車の購入を控えることにも繋がる。さらに、不正表示販売を行っている販売店等の売り上げ額が増加し、一方、不正表示販売を行っていない正当な販売店等の売り上げ額が減少してしまうという悪影響が発生する。このような問題は中古車業界のみには限られず、どのような商品であっても同種の問題は発生する。
【０００５】
そこで、本発明は、中古車等の不正表示販売を防止し、信頼性の高い正規流通販売を行うための証明書発行システム及びその方法を提供することを目的とする。
【課題を解決するための手段】
【０００６】
本発明に係る証明書発行システムは、情報を記憶する業務サーバと、前記情報に対応する識別情報を記憶するデータベースサーバと、前記識別情報に対応する識別コードが表示された証明書を出力する前記業務サーバの端末装置と、前記データベースサーバと送受信を行うインターネット公開サーバとを備え、前記識別コードを認識する入力手段と、前記インターネット公開サーバとの送受信を行う手段と、ユーザーに伝達する伝達手段とを含む携帯端末は、前記入力手段で認識した前記識別コードに基づいて前記インターネット公開サーバに送信し、前記インターネット公開サーバは前記識別コードに基づいて前記データベースサーバに送信し、前記データベースサーバは、前記業務サーバからユーザーに公開する公開データを受信及び記憶し、前記識別コードに基づいて前記識別情報に対応する前記公開データを前記インターネット公開サーバに送信し、前記インターネット公開サーバは前記識別情報に対応する前記公開データを前記携帯端末に送信し、前記携帯端末は前記識別情報に対応する前記公開データを前記伝達手段によりユーザーに伝達することを特徴とする。
【０００７】
また、出品車情報を入力するための業務システムと、オークション落札情報を入力するせり機システムと、前記業務システムから前記出品車情報及び前記せり機システムから前記オークション落札情報を受信及び記憶する業務サーバと、前記業務サーバから、前記出品車情報と前記オークション落札情報とに対応する識別情報を受信及び記憶するデータベースサーバと、前記識別情報に対応する識別コードが表示された流通証明書を出力する前記業務サーバの端末装置と、前記データベースサーバと送受信を行うインターネット公開サーバとを備え、前記識別コードを認識する入力手段と、前記インターネット公開サーバとの送受信を行う手段と、ユーザーに伝達する伝達手段とを含む携帯端末は、前記入力手段で認識した前記識別コードに基づいて前記インターネット公開サーバに送信し、前記インターネット公開サーバは前記識別コードに基づいて前記データベースサーバに送信し、前記データベースサーバは前記識別コードと前記識別情報とを照合し、照合結果を前記インターネット公開サーバに送信し、前記インターネット公開サーバは前記照合結果を前記携帯端末に送信し、前記携帯端末は前記照合結果を前記伝達手段によりユーザーに伝達することを特徴とする。
【０００８】
さらに、前記データベースサーバは、前記業務サーバからユーザーに公開する出品車公開データを受信及び記憶し、前記識別コードに基づいて前記識別情報に対応する前記出品車公開データを前記インターネット公開サーバに送信し、前記流通証明書には前記出品車公開データが表示され、前記インターネット公開サーバは前記識別情報に対応する前記出品車公開データを前記携帯端末に送信し、前記携帯端末は前記識別情報に対応する前記出品車公開データを前記伝達手段によりユーザーに伝達することを特徴とする。
【０００９】
前記出品車情報は中古車オークションの回数、出品番号、車名、型式、車台番号、走行距離、修復歴、評価点及び出品店のうちの少なくともいずれか１つを含むことを特徴とする。
【００１０】
前記オークション落札情報は取引年月日、落札金額及び落札店のうちの少なくともいずれか１つを含むことを特徴とする。
【００１１】
前記出品車公開データは取引年月日、落札店、車名、型式、車台番号、走行距離、修復歴、評価点及び出品店のうちの少なくともいずれか１つを含むことを特徴とする。
【００１２】
前記識別コードは二次元バーコードであることを特徴とする。
【００１３】
前記携帯端末はカメラ付携帯電話であることを特徴とする。
【００１４】
本発明に係る証明書発行方法は、情報を記憶する業務サーバと、前記情報に対応する識別情報を記憶するデータベースサーバと、前記識別情報に対応する識別コードが表示された証明書を出力する前記業務サーバの端末装置と、前記データベースサーバと送受信を行うインターネット公開サーバとを備える証明書発行システムにおいて、前記識別コードを認識する入力手段と、前記インターネット公開サーバとの送受信を行う手段と、ユーザーに伝達する伝達手段とを含む携帯端末が、前記入力手段で認識した前記識別コードに基づいて前記インターネット公開サーバに送信するステップと、前記インターネット公開サーバが前記識別コードに基づいて前記データベースサーバに送信するステップと、前記データベースサーバが、前記業務サーバからユーザーに公開する公開データを受信及び記憶し、前記識別コードに基づいて前記識別情報に対応する前記公開データを前記インターネット公開サーバに送信するステップと、前記インターネット公開サーバが前記識別情報に対応する前記公開データを前記携帯端末に送信するステップと、前記携帯端末が前記識別情報に対応する前記公開データを前記伝達手段によりユーザーに伝達するステップとを含むことを特徴とする。
【００１５】
また、出品車情報を入力するための業務システムと、オークション落札情報を入力するせり機システムと、前記業務システムから前記出品車情報及び前記せり機システムから前記オークション落札情報を受信及び記憶する業務サーバと、前記業務サーバから、前記出品車情報と前記オークション落札情報とに対応する識別情報を受信及び記憶するデータベースサーバと、前記識別情報に対応する識別コードが表示された流通証明書を出力する前記業務サーバの端末装置と、前記データベースサーバと送受信を行うインターネット公開サーバとを備える流通証明書発行システムにおいて、前記識別コードを認識する入力手段と、前記インターネット公開サーバとの送受信を行う手段と、ユーザーに伝達する伝達手段とを含む携帯端末が、前記入力手段で認識した前記識別コードに基づいて前記インターネット公開サーバに送信するステップと、前記インターネット公開サーバが前記識別コードに基づいて前記データベースサーバに送信するステップと、前記データベースサーバが前記識別コードと前記識別情報とを照合し、前記照合結果を前記インターネット公開サーバに送信するステップと、前記インターネット公開サーバが前記照合結果を前記携帯端末に送信するステップと、前記携帯端末が前記照合結果を前記伝達手段によりユーザーに伝達するステップとを含むことを特徴とする。
【００１６】
さらに、前記データベースサーバが、前記業務サーバからユーザーに公開する出品車公開データを受信及び記憶し、前記識別コードに基づいて前記識別情報に対応する前記出品車公開データを前記インターネット公開サーバに送信するステップと、前記端末装置が、前記出品車公開データが表示された前記流通証明書を出力するステップと、前記インターネット公開サーバが、前記識別情報に対応する前記出品車公開データを前記携帯端末に送信するステップと、前記携帯端末が、前記識別情報に対応する前記出品車公開データを前記伝達手段によりユーザーに伝達するステップとを含むことを特徴とする。
【発明の効果】
【００１７】
本発明に係る証明書発行システム及びその方法によれば、ユーザーは業務サーバ中の公開データを、証明書に表示された識別コードを認識する入力手段を有する携帯端末を用いてその場で直ちにかつ容易に確認することができる。
【００１８】
また、中古車の購入ユーザーは、流通証明書に表示された識別コードに基づいて照合を行うことにより、現在いる販売店が不正表示販売を行っている中古車販売店かどうかを直ちにかつ容易に中古車販売店等の現場で判断及び確認することができる。
【００１９】
また、ユーザーが、中古車販売店等で各中古車に付されているプライスボードの実際の表示と、携帯端末の伝達手段（例えば、表示モニタ）からの情報である該当中古車の正当な取引年月日、落札店、車名、型式、車台番号、走行距離、修復歴、評価点及び出品店等の出品車公開データとを照合することができる。従って、プライスボードの表示が正当かどうかを判断及び確認することができる。ひいては、中古車業界の発展とイメージアップに繋がる。
【発明を実施するための最良の形態】
【００２０】
以下では、本発明を実施するための最良の形態について図面を参照しながら説明を行う。
【００２１】
図１は、本発明に係る流通証明書発行システムのブロック図である。本発明に係る流通証明書発行システム１００は、各出品車の中古車オークションの回数、出品番号、車名、型式、車台番号、走行距離、修復歴、評価点及び出品店等の出品車情報を入力するための業務システム１と、取引年月日、落札金額及び落札店等のオークション落札情報を入力するせり機システム２と、前記業務システム１から前記出品車情報及び前記せり機システム２から前記オークション落札情報を受信及び記憶する出品車情報データベース４を含む業務サーバ３と、前記業務サーバ３から、前記出品車情報と前記オークション落札情報のうちユーザーに公開する出品車公開データを受信及び記憶する出品車公開データベース６を含むデータベースサーバ５と、前記出品車公開データ及び前記出品車公開データに対応する識別コードである二次元バーコード９が表示された流通証明書８を接続されたプリンタで出力するための前記業務サーバ３のパソコン端末７と、前記データベースサーバ５と前記出品車公開データの送受信を行うインターネット公開サーバ１１とを備える。
【００２２】
図２は、本発明に係る流通証明書の一例を示す図である。流通証明書８には、各出品車の取引年月日、落札店、車名、型式、車台番号、走行距離、修復歴、評価点及び出品店等の出品車公開データと、二次元バーコード９が印刷されている。二次元バーコード９は、固定のインターネットのホームページアドレスと、各出品車の中古車オークションの回数、出品番号を暗号化した識別コードの情報、例えばhttp://www3.***.com/para=****-****/といった内容を有している。
【００２３】
図３は、本発明に係る流通証明書発行システムのフローチャートを示す図である。まず、業務システム１において中古車オークションの回数、出品番号、車名、型式、車台番号、走行距離、修復歴、評価点及び出品店等の出品車情報を入力する（Ｓ１）。次に、せり機システム２において取引年月日、落札金額及び落札店等のオークション落札情報を入力する（Ｓ２）。
【００２４】
次に、業務システム１の出品車情報及びせり機システム２のオークション落札情報が業務サーバ３内の出品車情報データベース４へ送信される（Ｓ３）。次に、業務サーバ３の各パソコン端末７において各出品車の流通証明書８の作成用のデータが作成され、二次元バーコード９が付与され、各パソコン端末７に接続されたプリンタで流通証明書８の作成用のデータと二次元バーコード９が印刷、発行される（Ｓ４）。
【００２５】
次に、流通証明書８の二次元バーコード９をユーザーのバーコードリーダー機能を有するカメラ付携帯電話１０のカメラで撮影して、読み取る（Ｓ５）。読み取られた二次元バーコード９の内容は、カメラ付携帯電話１０の液晶モニタに表示される。次に、カメラ付携帯電話１０において、ユーザーが現在いる場所の販売店の販売店コードを入力するように要求がなされ、ユーザーが販売店の展示場に掲示されている販売店コードに相当する４桁の番号を入力する（Ｓ６）。
【００２６】
次に、読み取った二次元バーコード９の内容である固定インターネットアドレス（http://www3.***.com/）と、各出品車に対応する暗号化された識別コード（para=****-****）と、販売店コードとを基にインターネット公開サーバ１１へ問い合わせを行う（Ｓ７）。すなわち、カメラ付携帯電話１０の液晶モニタに表示された固定インターネットアドレスを選択し、インターネットへ接続するための接続ボタンを押すことにより上記の各種データがインターネット公開サーバ１１へ送信される。
【００２７】
次に、インターネット公開サーバ１１からデータベースサーバ５に対して識別コードである二次元バーコード９と販売店コードに基づく該当出品車の識別情報の取得のための送信が行われる（Ｓ８）。次に、データベースサーバ５は、受信した識別コードである二次元バーコード９と販売店コードに基づいて出品車公開データベース６において該当出品車の識別情報との照合を行い、識別情報の有無を調査してその照合結果と、識別情報の有の場合には該当する出品車公開データをインターネット公開サーバ１１に送信する（Ｓ９）。
【００２８】
次に、インターネット公開サーバ１１はカメラ付携帯電話１０に対して照合結果と該当する出品車公開データを送信し、カメラ付携帯電話１０の表示部である液晶モニタに照合結果と該当する出品車公開データが表示され、ユーザーがその情報内容を目にして、実際の出品車のプライスボードの内容と照合することができる（Ｓ１０）。
【００２９】
図４は、本発明に係る照合処理のフローチャートを示す図である。データベースサーバ５は、カメラ付携帯電話１０から送信されてきた二次元バーコード９の内容である出品車に対応する暗号化された識別コードと、データベースサーバ５内の該当する出品車公開データベース６における該当識別情報との照合を行い、照合結果が合致して正当であると認識される場合は（Ｓ２１でＯＫ）、カメラ付携帯電話１０から送信されてきた識別コードは正規データであると判断し（Ｓ２２）、インターネット公開サーバ１１を通じて、カメラ付携帯電話１０に正規判断信号及び該当する出品車公開データが送信され、カメラ付携帯電話１０の表示部に証明表示がなされ（Ｓ２３）、かつ、該当する出品車公開データが表示される（Ｓ２４）。例えば、「本流通証明書は正規に発行されたものです。流通番号＊＊＊＊＊＊＊、車台番号＊＊＊＊＊＊＊、走行距離＊＊＊＊＊＊ｋｍ、修復歴なし」という表示がなされる。
【００３０】
一方、照合結果として合致するものがなく不当であると判断される場合は（Ｓ２１でＮＧ）、データベースサーバ５は、カメラ付携帯電話１０から送信されてきた識別コードは正規データでないと判断し（Ｓ２５）、インターネット公開サーバ１１を通じて、カメラ付携帯電話１０に無効判断信号を送信し、カメラ付携帯電話１０の表示部に無効表示がなされる（Ｓ２６）。例えば、「入力された販売店へは流通証明書を発行しておりません。流通証明書無効」という表示がなされる。
【００３１】
これにより、ユーザーは、現在いる販売店が不正表示販売を行っている中古車販売店かどうかを直ちにかつ容易に上記のセキュリティーチェックを行って、中古車販売店等の現場で判断及び確認することができる。また、ユーザーが、中古車販売店等で各中古車に付されているプライスボードの実際の各種データの表示と、カメラ付携帯電話１０の表示部の出品車公開データとを照合することができ、プライスボードの各種データの表示が正当かどうかを直ちにかつ容易に中古車販売店等の現場で判断及び確認することができる。
【００３２】
以上、本発明に係る流通証明書発行システム及びその方法の実施の形態について説明を行ったが、本発明に係る流通証明書発行システム及びその方法は説明を行った実施の形態に限定はされない。例えば、バーコードは二次元バーコードのうち、CODE49やCODE16K、PDF417、ＱＲコード（登録商標）、データマトリックス（データコード）、マキシコードなどが使用できる。また、JAN（Japan Article Number）、EAN（European Article Number）、UPC（Universal Product Code）、ＣＯＤＥ−３９、ＮＷ−７（ＣＯＤＡＢＡＲ）、ＩＴＦ（インターリーブド ２ ｏｆ ５）、スタンダード ２ｏｆ５（インダストリアル ２ ｏｆ５、ディスクリート ２ｏｆ５）、ＣＯＤＥ−１２８、ＣＯＤＥ−９３、ＣＯＤＥ−１１、ＭＳＩ等の一次元バーコードでももちろんよい。
【００３３】
また、流通証明書は紙に印刷するものではなく、液晶などの各種モニタに表示するものであってもよい。また、カメラ付携帯電話の代わりにＰＤＡ（Personal Digital Assistant）等を用いてもよい。カメラ付携帯電話の表示部に照合結果等を表示する代わりに音声や警告音にてユーザーに伝達する方式をとってもよい。
【００３４】
また、本発明の対象が中古車に限られるわけではなく、他の商品であってももちろんよい。さらに、識別コードの内容の照合を行わずに、識別コードに対応する公開データをユーザーに送信するだけの実施の形態をとってもよい。例えば、各種の証明書やカードの内容データのみの照会システム及びその方法としても実施することができる。
【産業上の利用可能性】
【００３５】
本発明は、中古車等の売買のための流通証明書発行システムに適用できる。
【図面の簡単な説明】
【００３６】
【図１】本発明に係る流通証明書発行システムのブロック図である。
【図２】本発明に係る流通証明書の一例を示す図である。
【図３】本発明に係る流通証明書発行システムのフローチャートを示す図である。
【図４】本発明に係る照合処理のフローチャートを示す図である。
【符号の説明】
【００３７】
１  業務システム
２  せり機システム
３  業務サーバ
４  出品車情報データベース
５  データベースサーバ
６  出品車公開データベース
７  パソコン端末
８  流通証明書
９  二次元バーコード
１０  カメラ付携帯電話
１１  インターネット公開サーバ
１００  流通証明書発行システム
【図１】
2006277207.tif 000003
【図２】
2006277207.tif 000004
【図３】
2006277207.tif 000005
【図４】
2006277207.tif 000006